(57)【要約】【課題】移動体のミニチュアの移動状態を鑑賞することができるジオラマ収容額を提供すること。【解決手段】ジオラマ収容額１は、鉄道車両のミニチュア５を含んだ鉄道情景模型から成るジオラマ４を内部に収容するケース２と、ケース２の前面に設けられた開口部の周囲に取り付けられた額縁３とを備えている。ケース２の両側面２Ｌ、２Ｒに、鉄道車両のミニチュア５を出入りさせる出入口２ｄを設ける。ケース２内に出入口２ｄの一方から他方へ連続するように、鉄道車両のミニチュア５の走行を案内する動床つき線路６を設ける。該動床つき線路６は、出入口２ｄからケース２外へ延長可能である。【選択図】図１
0003174764.tif 000002
【実用新案登録請求の範囲】
【請求項１】
移動体のミニチュアを含んだジオラマを内部に収容するケースと、
前記ケースの前面に設けられた開口部の周囲に取り付けられた額縁と、を備えたジオラマ収容額において、
前記ケースの両側面に、前記移動体のミニチュアを出入りさせる出入口を設け、
前記ケース内に前記出入口の一方から他方へ連続するように、前記移動体のミニチュアの移動を案内する軌道を設け、
前記軌道は、前記出入口から前記ケース外へ延長可能である、ことを特徴とするジオラマ収容額。
【請求項２】
請求項１に記載のジオラマ収容額において、
前記ケースの奥行き幅が上方から下方へ行くに連れて大きくなるように、前記ケースの前記開口部を斜め上に向けて傾斜させた、ことを特徴とするジオラマ収容額。
【考案の詳細な説明】
【技術分野】
【０００１】
本考案は、移動体のミニチュアを含んだジオラマを収容するジオラマ収容額に関する。
【背景技術】
【０００２】
ジオラマ（Diorama）は、展示物およびその周辺の環境・背景を立体的に表現した情景模型である。下記の特許文献１〜４には、このようなジオラマを額に収容したジオラマ収容額が記載されている。
【０００３】
これらのジオラマ収容額では、たとえば、鉄道情景模型や自動車情景模型などのような、移動体のミニチュアを含んだジオラマをケース内に収容し、ケースの前面の周囲に額縁を取り付けている。額縁の内側には、ガラスやアクリルから成る透明板が嵌め込まれている。このようなジオラマ収容額は、壁に掛けられたり、机上に載置されたりして展示される。これにより、ケース内のジオラマを防塵しつつ鑑賞できるようになる。
【０００４】
しかしながら、従来のジオラマ収容額では、電車や自動車などの移動体のミニチュアをケース内で静止させた状態でしか鑑賞できなかった。移動体のミニチュアを含んだジオラマでは、やはり、移動体のミニチュアを移動させながら鑑賞するのが醍醐味である。
【先行技術文献】
【特許文献】
【０００５】
【特許文献１】特開２０１０−２９６１６号公報
【特許文献２】実用新案登録第３０３９０２１号公報
【特許文献３】実用新案登録第３０４４８６１号公報
【特許文献４】実開平５−５５００号公報
【考案の概要】
【考案が解決しようとする課題】
【０００６】
本考案の課題は、移動体のミニチュアの移動状態を鑑賞することができるジオラマ収容額を提供することである。
【課題を解決するための手段】
【０００７】
本考案では、移動体のミニチュアを含んだジオラマを内部に収容するケースと、ケースの前面に設けられた開口部の周囲に取り付けられた額縁と、を備えたジオラマ収容額において、ケースの両側面に、移動体のミニチュアを出入りさせる出入口を設け、ケース内に出入口の一方から他方へ連続するように、移動体のミニチュアの移動を案内する軌道を設ける。該軌道は、出入口からケース外へ延長可能となっている。
【０００８】
上記によると、たとえば、複数のジオラマ収容額の出入口間に軌道を架設したり、ジオラマ収容額内の軌道と他のジオラマの軌道とを出入口を通して接続したりして、ジオラマ収容額内のジオラマ同士や他のジオラマを連接することができる。そして、移動体のミニチュアを軌道に沿って、複数のジオラマ収容額のジオラマや他のジオラマの中を移動させて、該移動状態を鑑賞することができる。また、複数のジオラマ収容額で収容するジオラマの情景を変えて、該ジオラマ収容額の間で移動体のミニチュアを軌道に沿って移動させることで、異なる情景のジオラマ間での移動体のミニチュアの移動状態を鑑賞することができる。さらに、ジオラマ収容額内で移動体のミニチュアを静止させておくことで、該静止状態も鑑賞することができる。
【０００９】
また、本考案では、上記ジオラマ収容額において、ケースの奥行き幅が上方から下方へ行くに連れて大きくなるように、ケースの開口部を斜め上に向けて傾斜させるのが好ましい。
【００１０】
これにより、ジオラマ収容額を壁に掛けたり机上に載置したりしたときに、周囲の光がケース内に射し込み易くなるので、ケース内が明るくなり、ケース内のジオラマを見え易くすることができる。また、ケース内にジオラマを作製したり組み込んだりするときに、作業をし易くすることができる。
【考案の効果】
【００１１】
本考案によれば、移動体のミニチュアの移動状態を鑑賞することができるジオラマ収容額を提供することが可能となる。
【図面の簡単な説明】
【００１２】
【図１】本考案の一実施形態によるジオラマ収容額を斜め側方から見た斜視図である。
【図２】同ジオラマ収容額のケースから額縁を取り外した状態を示した図である。
【図３】同ジオラマ収容額同士を側方に並べた状態を背後から見た状態を示した図である。
【図４】同ジオラマ収容額同士の連接状態を示した図である。
【図５】同ジオラマ収容額のレイアウトの一例を示した図である。
【図６】同ジオラマ収容額に収容されたジオラマの例を示した図である。
【考案を実施するための形態】
【００１３】
以下、本考案の実施形態につき、図面を参照しながら説明する。各図において、同一の部分または対応する部分には、同一符号を付してある。
【００１４】
本考案の一実施形態によるジオラマ収容額１は、図１および図２に示すように、ケース２と額縁３とを備えている。ケース２と額縁３は、木製である。
【００１５】
ケース２内には、Ｎゲージ（１／１５０スケール）の鉄道情景模型から成るジオラマ４が収容されている。詳しくは、ジオラマ４は、鉄道車両（電車）のミニチュア５、動床つき線路６、その他の自然物や構造物や物品や人形や動物などのミニチュア（符号省略）、および平面や立体の情景素材（符号省略）を含んでいる。
【００１６】
動床つき線路６には、種々の長さや曲率のものがある。各動床つき線路６の長手方向の両端部には、凹凸状の嵌合部６ａが設けられている（図３参照）。複数の動床つき線路６の嵌合部６ａ同士を嵌め合わせることで、複数の動床つき線路６を接続することができる。
【００１７】
動床つき線路６は、電源装置１０から電線１１を通して給電される（図５参照）。鉄道車両のミニチュア５は、駆動源（モータ）を内蔵した動力車である。鉄道車両のミニチュア５は、図示しないリレーラー（車両を線路に載せるための治具）を用いて、動床つき線路６のレール上に正しく載置される。そして、鉄道車両のミニチュア５は、動床つき線路６のレールから給電されて、動床つき線路６のレールに沿って走行する。つまり、動床つき線路６は、鉄道車両のミニチュア５の移動を案内する。
【００１８】
鉄道車両のミニチュア５は、本考案の「移動体」の一例である。動床つき線路６は、本考案の「軌道」の一例である。
【００１９】
図２に示すように、ケース２の前面２ａには、開口部２ｂが設けられている。ケース２の奥行き幅が上方から下方へ行くに連れて大きくなるように、ケース２の開口部２ｂは斜め上を向いて傾斜している。開口部２ｂの下部には、段差部２ｃが設けられている。
【００２０】
たとえば、ケース２を机上に載置した状態で、開口部２ｂからケース２内に、ジオラマ４が作製されたり組み込まれたりする。ケース２内のジオラマ４は、一品製作物であり、図６（ａ）〜（ｃ）に示すように、それぞれのジオラマ収容額１毎に異なるジオラマが収容される。
【００２１】
額縁３の上枠の裏面には、図２に示すように、引っ掛け金具７が２つ取り付けられている。額縁３の内側には、ガラスやアクリルから成る透明板８が嵌め込まれている。
【００２２】
額縁３の内側をケース２へ開口部２ｂ側から嵌め込み、額縁３の下枠をケース２の段差部２ｃに係合し、図４に示すように、引っ掛け金具７をケース２の上部に引っ掛ける。これにより、額縁３は、図１に示すように、ケース２の前面２ａの開口部２ｂの周囲に、着脱可能に取り付けられる。ケース２の開口部２ｂは、透明板８により塞がれる。
【００２３】
ケース２の左右両側面２Ｌ、２Ｒには、鉄道車両のミニチュア５を出入りさせる出入口２ｄが設けられている。各出入口２ｄには、開閉可能でかつ着脱可能なシャッタ９が設けられている。
【００２４】
動床つき線路６は、ケース２内に出入口２ｄの一方から他方へ連続するように設けられている。嵌合部６ａが出入口２ｄに向くように、動床つき線路６を設置することで、動床つき線路６は、出入口２ｄからケース２外へ延長可能になっている。
【００２５】
複数のジオラマ収容額１は、動床つき線路６により連接することができる。また、ジオラマ収容額１と他のジオラマ１４（図５参照）も、動床つき線路６により連接することができる。
【００２６】
具体的には、たとえば、図３に示すように、複数のジオラマ収容額１を机上で横に並べて、出入口２ｄ同士を対向させる。出入口２ｄのシャッタ９は、取り外しておくか、または開いておく。
【００２７】
そして、連結用の動床つき線路６の一方の嵌合部６ａを、一方のジオラマ収容額１の出入口２ｄから挿入して、内部の動床つき線路６の嵌合部６ａと嵌合させて、動床つき線路６同士を接続する。また、連結用の動床つき線路６の他方の嵌合部６ａを、他方のジオラマ収容額１の出入口２ｄから挿入して、内部の動床つき線路６の嵌合部６ａと嵌合させて、動床つき線路６同士を接続する。
【００２８】
これにより、図４に示すように、複数のジオラマ収容額１の対向する出入口２ｄ間に、連結用の動床つき線路６が架設されて、複数のジオラマ収容額１が連接された状態となる。すなわち、複数のジオラマ収容額１内のジオラマ４同士が連接された状態となる。この連接状態で、複数のジオラマ収容額１の前面は面一になり、額縁３は隙間なく接触する。
【００２９】
また、たとえば、図５に示すように、ジオラマ収容額１と、他のジオラマ１４とを机上で横に並べる。他のジオラマ１４は、ジオラマ収容額１のジオラマ４と同様に、Ｎゲージの鉄道情景模型から成り、露出状態である。他のジオラマ１４には、湾曲状態に接続した複数の動床つき線路６が含まれている。
【００３０】
連結用の動床つき線路６の一方の嵌合部６ａを、ジオラマ収容額１の出入口２ｄから挿入して、内部の動床つき線路６の嵌合部６ａと嵌合させて、動床つき線路６同士を接続する。また、連結用の動床つき線路６の他方の嵌合部６ａを、他のジオラマ１４の動床つき線路６の嵌合部６ａと嵌合させて、動床つき線路６同士を接続する。
【００３１】
これにより、ジオラマ収容額１内のジオラマ４と他のジオラマ１４とが連接された状態となる。図５では、２つのジオラマ収容額１を連接して、机上の手前と奥に向かい合わせの状態でそれぞれ配置し、これらジオラマ収容額１の左右両側にそれぞれ他のジオラマ１４を連接して、動床つき線路６を環状に連続させている。
【００３２】
このため、たとえば、他のジオラマ１４の一部の動床つき線路６に、電源装置１０から電線１１を通して給電することで、ジオラマ収容額１や他のジオラマ１４の動床つき線路６のレールが通電される。これにより、鉄道車両のミニチュア５が動床つき線路６に沿って、複数のジオラマ収容額１のジオラマ４や他のジオラマ１４の中を走行可能になる。電源装置１０には、鉄道車両のミニチュア５の走行を操作するための、操作部材１０ａが備わっている。
【００３３】
上記実施形態によると、複数のジオラマ収容額１の出入口２ｄ間に動床つき線路６を架設したり、ジオラマ収容額１内の動床つき線路６と他のジオラマ１４の動床つき線路６とを出入口２ｄを通して接続したりして、ジオラマ収容額１内のジオラマ４同士や他のジオラマ１４を連接することができる。そして、鉄道車両のミニチュア５を動床つき線路６に沿って、複数のジオラマ収容額１のジオラマ４や他のジオラマ１４の中を走行させて、該走行状態を鑑賞することができる。
【００３４】
また、複数のジオラマ収容額１で収容するジオラマ４の情景を変えて、該ジオラマ収容額１の間で鉄道車両のミニチュア５を動床つき線路６に沿って移動させることで、異なる情景のジオラマ４、１４間での鉄道車両のミニチュア５の走行状態を鑑賞することができる。
【００３５】
また、ジオラマ収容額１内で鉄道車両のミニチュア５を静止させておくことで、該静止状態も鑑賞することができる。
【００３６】
さらに、ジオラマ収容額１では、ケース２の奥行き幅が上方から下方へ行くに連れて大きくなるように、ケース２の開口部２ｂが斜め上を向いて傾斜している。このため、ジオラマ収容額１を、紐や金具などによって壁に掛けたり、机上に載置したりしたときに、周囲の光が透明板８を透してケース２内に射し込み易くなるので、ケース２内が明るくなり、ケース２内のジオラマ４を見え易くすることができる。また、ケース２内にジオラマ４を作製したり組み込んだりするときに、作業をし易くすることができる。
【００３７】
さらに、ジオラマ４をケース２内に収容して、ケース２の開口部２ｂを額縁３と透明板８で塞ぎ、ケース２の両側面２Ｌ、２Ｒの出入口２ｄをシャッタ９で塞いでいる。このため、ジオラマ４の保護、防塵、展示、および携帯の各性能を確保することができる。
【００３８】
本考案は、上述した以外にも種々の実施形態を採用することができる。たとえば、上記実施形態では、Ｎゲージの鉄道情景模型から成るミニチュア４、１４を例に示したが、本考案はこれに限るものではない。これ以外に、ジオラマ収容額に収容するジオラマやこれと連接するジオラマを、たとえば、ＨＯゲージやＺゲージなどの他の縮尺の鉄道情景模型、自動車情景模型、船舶情景模型、または航空機情景模型などから構成してもよい。
【００３９】
また、ジオラマに組み込む移動体のミニチュアとしては、上記の鉄道車両のミニチュア（電車）５以外に、モノレールやリニアモータカーなどのその他の鉄道車両、自動車、ロープウェイ、船舶、または航空機などのミニチュアを用いてもよい。また、移動体のミニチュアは、これら乗り物のミニチュアに限定するものではない。
【００４０】
また、移動体のミニチュアの移動を案内する軌道としては、上記の動床つき線路６以外に、レールと枕木だけで構成されている動床なし線路、または単一のレール、リニアモータ、道路状のレーン、若しくはケーブルなどのミニチュアを用いてもよい。
【００４１】
また、図５の実施形態では、４つのジオラマ収容額１と２つの他のジオラマ１４を環状のレイアウトで連接した例を示したが、これ以外に、ジオラマ収容額や他のジオラマを適宜数用いて、好みのレイアウトで連接してもよい。また、ジオラマ収容額同士の設置間隔や、ジオラマ収容額と他のジオラマとの設置間隔を広くして、複数の軌道により連接してもよい
【符号の説明】
【００４２】
１  ジオラマ収容額
２  ケース
２ａ  前面
２ｂ  開口部
２ｄ  出入口
２Ｌ、２Ｒ  両側面
３  額縁
４  ジオラマ
５  鉄道車両のミニチュア
６  動床つき線路
【図１】
0003174764.tif 000003
【図２】
0003174764.tif 000004
【図３】
0003174764.tif 000005
【図４】
0003174764.tif 000006
【図５】
0003174764.tif 000007
【図６】
0003174764.tif 000008